(57)【要約】      （修正有）【課題】構造が簡単で軽量で、取扱いが容易な車椅子用防風雨カバーを提供する。【解決手段】固定フレーム２１と回動自在フレーム２２ａ，２２ｂ，２２ｃからなり、各回動自在フレームの両端部を回動中心として、展開と折畳が可能なフレーム部２と、各回動自在フレームの両端部を回動自在に枢結し、これらの両端縁部が車椅子Ｃの側面視扇状に展開した状態で相互に当接することで展開角度が制限されるようにピン位置を設定した一対の支持部３と、車椅子の背もたれシート用の両側フレーム８０に取付けて、一対の支持部３を挿入する取付部４と、各フレーム２１，２２ａ，２２ｂ，２２ｃの枠に着脱自在に装着可能なカバー５とから構成される。【選択図】図１
0003186571.tif 000002
【実用新案登録請求の範囲】
【請求項１】
１本の固定フレームと複数の回動自在フレームとからなり、車椅子へ取付けた状態において、各回動自在フレームの両端部を回動中心として、展開状態と折畳み状態に転換可能であり、フレーム枠に着脱自在にカバーを装着可能なフレーム部と、
前記固定フレームの両端部を固定し、前記各回動自在フレームの両端部を車椅子の前進方向及び後退方向に回動自在に枢結するとともに、前記各回動自在フレームの両端縁部が、車椅子の側面視扇状に展開した状態で相互に当接することで展開角度が制限されるように、前記各回動自在フレームの両端部を枢結するピン位置を設定し、取付部に着脱自在に連結するための突起体が形成されている一対の支持部と、
車椅子の背もたれシート用の両側フレームに取付けて、前記一対の支持部に設けられた突起体を着脱自在に挿入する挿入口が形成された取付部と、
前記フレーム部に、着脱自在に装着可能で折り畳み可能な素材からなる保護カバーから構成されていることを特徴とする車椅子用防風雨カバー。
【請求項２】
前記取付部は、車椅子の背もたれシート用の両側フレームに取付けられる把持部の軸心に対して、挿入口の軸心が、車椅子の後退方向に傾斜していることを特徴とする請求項１に記載の車椅子用防風雨カバー。
【請求項３】
前記取付部は、挿入口の断面形状が、長方形、正方形、三角形、多角形又は楕円形であることを特徴とする請求項１〜２の何れかに記載の車椅子用防風雨カバー。
【請求項４】
前記取付部は、挿入口が２個以上に区画されていることを特徴とする請求項１〜３の何れかに記載の車椅子用防風雨カバー。
【請求項５】
前記保護カバーは、透明、半透明或いは着座者の頭部上方を覆うために、一部が日光を遮る日除けカバーであることを特徴とする請求項１に記載の車椅子用防風雨カバー。
【請求項６】
前記保護カバーは、前記固定フレーム及び前記各回動自在フレームに着脱自在に取付ける連結具が設けられていることを特徴とする請求項１又は５に記載の車椅子用防風雨カバー。
【考案の詳細な説明】
【技術分野】
【０００１】  本考案は、車椅子の背もたれシート用の両側フレームに着脱自在に取付けることができる、車椅子用防風雨カバーに関するものである。
【背景技術】
【０００２】  従来、車椅子に雨除けカバーや日除けカバーを着脱自在に装着するための装置は種々なものが提案されている。例えば、車椅子に着脱自在に取付け可能であり、固定フレームと回転自在フレームからなるフレーム部と、該フレームの両端を回転自在に固定する一対の支持部と、隣接するフレーム間を伸展・屈曲する連結部と、背もたれシート用フレームに支持部を取付け可能な取付部と、先頭に配置されている回転自在フレームを載置して支持する載置手段と、回転自在フレーム端部の先端が展開状態でフットレスト付近まで降下する車椅子のカバー装着用装置が開示されている（特許文献１参照。）。
【先行技術文献】
【特許文献】
【０００３】
【特許文献１】特開２００９−３４４７５号公報
【考案の概要】
【考案が解決しようとする課題】
【０００４】  しかしながら、特許文献１に示す車椅子のカバー装着用装置は、構造が複雑なため総重量が重くなり、取扱いが不便であるだけでなく、高コストとなっていた。
【課題を解決するための手段】
【０００５】  本考案は、上記課題を解決するために成されたものであり、構造が簡単で軽量であり、取扱いが容易な車椅子用防風雨カバーを提供することを目的としている。【０００６】  本考案の請求項１に記載の車椅子用防風雨カバーは、車椅子の背もたれシート側に位置する合成樹脂製の１本の固定した門型フレーム（以下、固定フレームという。）と、該固定フレームの前側（車椅子の進行方向の前側）に位置する合成樹脂製の複数の回動自在な門型のフレーム（以下、回動自在フレームという。）からなる。これらのフレームを車椅子へ取付けた状態で、各回動自在フレームの両端部を支えるピンを回動中心として車椅子の側面視扇状に展開し、フレーム枠を形成する展開状態と前記固定フレーム側に纏めて折畳んで開放状態とに相互転換ができる。そして、少なくとも前記展開状態のフレームに着脱自在に保護カバーを装着することができる。【０００７】  また、前記固定フレームの両端部を固定し、前記各回動自在フレームの両端部を車椅子の前進方向及び後退方向に回動自在に枢結する。前記各回動自在フレームの両端縁部は、車椅子の側面視扇状に展開した状態で相互に当接することで展開角度が制限されるように、前記各回動自在フレームの両端部を枢結するピン位置を設定している。一対の支持部の下面には、取付部に着脱自在に連結するための突起体が形成されており、該取付部は、車椅子の背もたれシート用の両側フレームに取付けられて、前記一対の支持部に設けられた突起体を着脱自在に結合する挿入口が形成されている。【０００８】  この様な構成とすれば、前記各フレームは合成樹脂で形成されているので、軽量であり、女性や高齢者等であっても車椅子への着脱を容易に行うことができる。また、隣接して設けられた前記各回動自在フレーム同士の両端縁部が当接することで、展開角度を規制する機能を有している。これにより、前記各回動自在フレームの展開角度を、簡単な構造で規制することができる。【０００９】  本考案の請求項２に記載の車椅子用防風雨カバーは、前記取付部が、車椅子の背もたれシート用の両側フレームに取付られた状態で、挿入口の軸心が、前記両側フレームの軸心より車椅子の後退方向に傾斜して形成されている。この様に構成すれば、前記固定フレームが、車椅子の背もたれシート用の両側フレームより後側に位置するので、被看護者の全身を保護することができる。また、フレーム全体の重心が挿入口の軸心より前方にあるが、前記フレームが自重で前方に倒れるのを防止できるため、前記取付口と突起体の連結を安定させることができる。【００１０】  本考案の請求項３に記載の車椅子用防風雨カバーは、前記取付部の挿入口の断面形状を長方形としている。また、長方形に代えて正方形、三角形、多角形又は楕円形としても同様の効果を得ることができる。この様な構成とすれば、防風雨カバーの支持部が、強風等の風圧を受けても取付部の軸心中心に支持部が回転することを防止できる。【００１１】  本考案の請求項４に記載の車椅子用防風雨カバーは、前記取付部は、挿入口が２個以上に区画されている。この様な構成とすれば、複数の防風雨カバーの挿入が可能となる。例えば、防風雨カバーと日除けカバーを同時に挿入して利用するこ���ができる。【００１２】  本考案の請求項５に記載の車椅子用防風雨カバーは、保護カバーが、透明、半透明或いは着座者の頭部上方を太陽光から保護するために、紫外線遮断シート等を用いた日除け保護カバーとしている。この様な構成とすれば、季節や天候、或いは被看護者の要望に合わせて適宜な保護カバーを装着することができるので、被看護者の状況に合わせた防風雨カバーを適用することができる。【００１３】  本考案の請求項６に記載の車椅子用防風雨カバーは、前記保護カバーが前記固定フレーム及び回動自在門型フレームに着脱自在に取付る連結具として、スナップ留め具、面ファスナー又は紐等が設けられている。この様な構成とすれば、簡単かつ迅速にカバーをフレームから着脱することができる。
【考案の効果】
【００１４】  本考案の車椅子用防風雨カバーは、各フレームが合成樹脂で形成されているので、軽量であり、女性や高齢者等であっても車椅子への着脱を容易にすることができる。また、各フレームは幅方向に撓むので、背もたれシート用の両側フレーム間隔が若干（４ｃｍ程度）異なる場合でも、前記フレーム間の幅を伸縮させることで取付が可能となる。【００１５】  支持部は隣接して設けられた各回動自在フレーム同士の両端縁部が当接することで、展開角度を規制する機能を有しているので、前記各回動自在フレームの展開角度を、簡単な構造で制限することができる。また、取付部は、車椅子の背もたれシート用の両側フレームに取付けられる把持部の軸心に対して、挿入口の軸心が、車椅子の後退方向に傾斜しているので、前記フレームが自重で前方に垂れ下がることを防止し、前記取付部と支持部の連結保持を安定させることができる。【００１６】  前記取付部の挿入口の断面形状を長方形としているので、支持部が、強風等の風圧を受けて取付部の軸心中心に支持部が回転することを防止できる。また、前記取付部の挿入口を２個以上に区画すれば、例えば、防風雨カバーと日除けカバーを同時に利用することができる。【００１７】  前記フレーム部のフレーム枠には折り畳み可能な素材からなる保護カバーが設けられているので、該保護カバーが汚損した際には、容易に取り外して新品等に交換することができる。また、前記保護カバーが、透明、半透明或いは着座者の頭部上方を太陽光から保護するために、紫外線遮断シートを用いた日除けカバーとしている。これにより、季節や天候、或いは被看護者の要望に合わせて適宜な保護カバーを装着することができるので、被看護者の状況に合わせた防風雨カバーを適用することができる。さらに、前記保護カバーを前記固定フレーム及び各回動自在フレームに着脱自在に取付ける連結具として、スナップ留め具、面ファスナー又は紐等が設けられているので、簡単かつ迅速にカバーを前記門型フレームから着脱することができる。
【図面の簡単な説明】
【００１８】
【図１】  本考案の防風雨カバーの実施形態を示す側面図である。
【図２】  本考案の門型フレームの実施形態を示す側面図である。
【図３】  図１の暴風雨カバーを折畳んだ状態を示す側面図である。
【図４】  本考案の支持部の拡大図であり、（ａ）はフレームの展開状態を内側から見た側面図、（ｂ）はフレームの折畳状態を内側から見た側面図、（ｃ）はフレームの展開状態を外側から見た側面図である。
【図５】  本考案のフレームの実施形態を示す正面図である。
【図６】  本考案の取付部の実施形態を示す斜視図である。
【図７】  図６に示す取付部の挿入口の実施形態を示す平面図である。
【図８】  本考案の保護カバーの実施形態を示す側面図である。
【図９】  本考案の連結具の取付位置を示す説明図である。
【考案を実施するための形態】
【００１９】  以下、本考案の車椅子用防風雨カバーについて、図面に基づいて詳細に説明する。図１は、本考案の防風雨カバーを車椅子に取付た状態を示す側面図であり、図２は、本考案のフレームを車椅子に取付た状態を示す側面図であり、図３は、本考案の防風雨カバーを車椅子に取付て折畳んだ状態を示す側面図である。
【００２０】  図１〜図３において、車椅子用防風雨カバー１は、フレーム部２、支持部３、取付部４及び保護カバー５より構成されており、車椅子Ｃに着脱自在に取付ることができる。前記フレーム部２は図５（ａ）に示すようにＡＢＳ樹脂等の合成樹脂製の平板を用いて、門型に形成されており、車椅子Ｃの進行方向に向かって最後端に位置する１本の固定フレーム２１と３本の回動自在フレーム２２ａ、２２ｂ、２２ｃから構成されている。各回動自在フレーム２２ａ、２２ｂ、２２ｃは、車椅子Ｃへ取付けた状態において、各回動自在フレーム２２ａ、２２ｂ、２２ｃの両端部２３ａ、２３ｂ、２３ｃに枢結したピン３３を回動中心として、図１に示す展開状態と図３に示す折畳み状態に相互に転換が可能である。
【００２１】  また、展開状態において、最前端の回転自在フレーム２２ｃは、ほぼ水平又は水平より前傾姿勢に傾くように形成されている。なお、前記回動自在フレーム２２ａ、２２ｂ、２２ｃの本数は、３本に限定されるものではなく、２本又は４本以上とすることが可能であり、車椅子Ｃの構造やサイズにより適宜変更することができる。
【００２２】  前記固定フレーム２１と回動自在フレーム２２ａ、２２ｂ、２２ｃの大きさは、展開状態の各フレーム２１、２２ａ、２２ｂ、２２ｃにより形成される空間が、被看護者の着座状態において、頭上及び前方に充分な容積を形成可能な寸法であるかぎり限定されない。一方、固定フレーム２１は、車椅子Ｃの背もたれシート用の両側フレーム８０に平行又は後側に傾斜して立設（垂直方向に配置）されるので、被看護者の頭部上方空間を確保できる高さがあれば充分である。したがって、本考案のフレーム部２は、固定フレーム２１から最前端の回動自在フレーム２２ｃに向かって、順次長尺となるように形成されている。
【００２３】  前記フレーム２１、２２ａ、２２ｂ、２２ｃは、図５に示すように、様々な形状とすることができる。本考案では図５（ａ）の門型を実施形態としているが、例えば、図５（ｂ）の半円アーチ型、図５（ｃ）の頂上拡開アーチ型、図５（ｅ）の頂上縮小アーチ型とすることができる。また、図示しないが、被看護者の居住空間を確保できる容積を確保できれば、前記形状に限定されるものではない。
【００２４】  図４は、支持部３の部分側面図である。支持部は左右一対であり、それぞれ同様の形状と機能を有しているが、便宜上片方のみで説明する。支持部３は、図４（ａ）から（ｃ）に示すように前記固定フレーム２１の両端部２３をピン３３で固定し、前記各回動自在フレーム２２ａ、２２ｂ、２２ｃの両端部２３ａ、２３ｂ、２３ｃを車椅子の前進方向及び後退方向に回動自在にピン３３で枢結するもので、左右一対の支持部３が前記フレーム２１、２２ａ、２２ｂ、２２ｃと一体に組み立てられている。
【００２５】  支持部３はＡＢＳ樹脂製であり、断面Ｌ型の基台３１の立壁にフレーム本数に対応した貫通穴３２（本実施形態では４個）が穿設され、この貫通穴３２にピン３３を用いて、前記固定フレーム２１の両端部２３及び前記各回動自在フレーム２２ａ、２２ｂ、２２ｃの両端部２３ａ、２３ｂ、２３ｃが取付られている。また、前記基台３１の下部には、車椅子Ｃの背もたれシート用の両側フレーム８０に挟持された取付部４の挿入口４１に挿入するための突起体３４が垂下されている。なお、前記フレーム部２及び支持部３はＡＢＳ樹脂に限定されるものではなく、同等の性質を有する合成樹脂を使用することができる。
【００２６】  図４（ａ）は、支持部３に枢結された各フレーム２１、２２ａ、２２ｂ、２２ｃの展開状態を、内側（車椅子Ｃのシートに着座した被看護者側）から見た側面図であり、図４（ｃ）は、取付部３に枢結された各フレーム２１、２２ａ、２２ｂ、２２ｃの展開状態を、外側から見た側面図である。前記各フレーム２１、２２ａ、２２ｂ、２２ｃの両端部２３、２３ａ、２３ｂ、２３ｃは半円状に形成されている。固定フレーム２１の後部縁には停止板３５が当接３６されており、前記固定フレーム２１の後部移動を制止している。
【００２７】  前記各回動自在フレーム２２ａ、２２ｂ、２２ｃは、展開した状態で、両端縁２３ａ、２３ｂ、２３ｃが干渉して当接し、展開角度が規制されている。図４（ｂ）は、図４（ａ）の各回動自在フレーム２２ａ、２２ｂ、２２ｃを折畳んだ状態を示す側面図である。前記各回動自在フレーム２２ａ、２２ｂ、２２ｃが前記固定フレーム２１側に回動されており、車椅子Ｃに着座した被看護者の頭上及び前方から防風雨カバーが解放される。
【００２８】  図６は、本考案の取付部４を示す斜視図である。図６において、取付部４は、前記支持部３に設けられた突起体３４を着脱自在に挿入する挿入口４１と、車椅子Ｃの背もたれシート用の両側フレーム８０を挟持して取付ける２分割された把持部４２と、前記挿入口４１と把持部４２の半片を連結する連結部４３により一体的に形成されている。前記取付部４は、前記フレーム部２及び支持部３を保持する機械的強度、耐候性及び耐水性等を必要とするため、ステンレス鋼やアルミニウム合金等で形成することが望ましい。
【００２９】  車椅子Ｃの背もたれシート用の両側フレーム８０は、一般的にパイプが用いられているので、前記把持部４２は半割の把持片（半円状又は円弧状）とし、１片４２ａは前記連結部４３と一体的に形成され、半片４２ｂは前記フレーム８０を挟んで蝶ボルト（図示しない）等により締結されている。なお、前記車椅子Ｃの両側フレーム８０は、パイプ状であるため、挟持すると風圧等により把持部４２が前記両側フレーム８０の軸心中心に回動する恐れがある。そのため、前記挟持部４２の内周部に回り止めパッキン（図示しない）を内装することが望ましい。なお、前記回り止めパッキンの材質としてはシリコン等を用いることができる。
【００３０】  前記挿入口４１の軸心は、前記把持部４２の軸心に対して、車椅子Ｃの進行方向の後側に２０°傾斜している。この傾斜角度は１０°〜２０°とすることが望ましい。傾斜角度が１０°以下又は２０°以上になると、支持部３を保持する安定度が低下する。
【００３１】  図７（ａ）は、本考案の実施形態を示す取付部４の挿入口４１の平面図である。この挿入口４１は平面視長方形であり上下が開口されている。なお、挿入口４１は、これに限定されるものではなく図７（ｂ）の正方形、（ｃ）の三角形、（ｄ）の多角形、（ｅ）の両端部が半円の長方形、（ｆ）の２分割に区画された長方形、等に形成しても、同様の効果を得ることができる。
【００３２】  図８は保護カバー５の側面図である。該保護カバー５は、フレーム部２全体を被覆するように一体的に形成されており、後述する連結具６で着脱自在に取付られている。また、被看護者の腰部及び足部を暴風雨や紫外線から保護するため、最前端の回動自在フレーム２２ｃから保護カバーが延伸して垂下されている。保護カバー５は、被看護者から見て視認性があることが望ましいため透明性が要求される。また、折畳可能な柔軟性も必要であるため、透明度の高い塩化ビニールシートを用いることが望ましい。ただし、同様の性質を有する透明又は半透明の各種合成樹脂シートを用いることも可能である。また、着座者に照射される紫外線を遮断するために、一部又は全部を半透明や不透明（着色を含む）とするか、紫外線遮蔽シートを用いてもよい。
【００３３】  図９（ａ），（ｂ）に示すように、各フレーム部の上部２箇所に、連結具６としてスナップ留め、面ファスナー又は紐等が取付られており、保護カバー５は前記フレーム部に着脱自在に取付られている。なお、連結具６の位置は、図９（ａ）、（ｂ）に限定されるものではなく、適宜位置に取付ることができる。
【産業上の利用可能性】
【００３４】  本考案の車椅子用防風雨カバーは、簡単な操作で車椅子に着脱自在に取付可能であるので、日除けカバーとしても利用することができる。また、自走式，介助式或いは電動型などの種類やサイズを問わず、広く適用することができる。
【符号の説明】
【００３５】  １  車椅子用防風雨カバー、  ２  フレーム部、  ３  支持部、  ４  取付部
５  保護カバー、  ６  連結具、  ２１  固定フレーム、
２２ａ、２２ｂ、２２ｃ  回動自在フレーム、  ２３ａ、２３ｂ、２３ｃ  両端部
３１  基台、  ３２  貫通穴、  ３３  ピン、  ３４  突起体、  ３５  停止板
３６  当接、  ４１  挿入口、  ４２  把持部、  ４２ａ  一片、  ４２ｂ  半片、
４３  連結部、  ８０  車椅子の背もたれ用両側フレーム、  Ｃ  車椅子
【図１】
0003186571.tif 000003
【図２】
0003186571.tif 000004
【図３】
0003186571.tif 000005
【図４】
0003186571.tif 000006
【図５】
0003186571.tif 000007
【図６】
0003186571.tif 000008
【図７】
0003186571.tif 000009
【図８】
0003186571.tif 000010
【図９】
0003186571.tif 000011